(57)【要約】      （修正有）【課題】アーム部を有するドア部材を備えたディスク装置付き表示装置の高さを小さくすることが可能なディスク装置付き表示装置を提供する。【解決手段】ＤＶＤ一体型テレビジョン（ディスク装置付き表示装置）は、ドア部１２ａと、アーム部１２ｂおよび１２ｃとを含むドア部材１２と、開口部２ｇと、操作ボタン２ｄ、２ｅおよび２ｆと、アーム取付部２ｋおよび２ｌとを含むフロントキャビネット２とを備えている。そして、フロントキャビネット２の操作ボタン２ｄ、２ｅおよび２ｆは、アーム部１２ｂおよび１２ｃと、アーム取付部２ｋおよび２ｌと高さ位置が重なるように配置されるとともに、開口部２ｇの下方および側方のアーム部１２ｂおよび１２ｃと、アーム取付部２ｋおよび２ｌとが配置される領域以外の領域にアーム部１２ｂおよび１２ｃと、アーム取付部２ｋおよび２ｌとを挟むように配置されている。【選択図】図４
2007280563.tif 000002
【特許請求の範囲】
【請求項１】
ディスクトレイの突出および収納の際に開閉するとともに、ドア部および前記ドア部を回動させるためのアーム部を含むドア部材と、前記ドア部材が配置され、前記ディスクトレイを突出および収納させるための開口部、および、装置本体を操作するための複数の操作部を含む筐体とを備えたディスク装置付き表示装置において、
前記筐体の開口部の下方の内表面に一体的に形成され、前記ドア部材のアーム部が回動可能に取り付けられるアーム取付部をさらに備え、
前記アーム部は、前記ドア部の一方端部および他方端部にそれぞれ設けられた第１アーム部および第２アーム部を含み、
前記操作部は、前記筐体の外表面に露出した状態で前記筐体と一体的に形成され、前記開口部の下方に配置された第１操作ボタンと、前記第１アーム部の外側方に配置された第２操作ボタンと、前記第２アーム部の外側方に配置された第３操作ボタンとを含み、
前記筐体の第１操作ボタン、第２操作ボタンおよび第３操作ボタンを含む操作部は、前記第１アーム部および前記第２アーム部を含む前記アーム部および前記アーム取付部と高さ位置が重なるように配置されるとともに、前記アーム部および前記アーム取付部が配置される領域以外の領域に前記アーム部および前記アーム取付部を挟むように配置されており、
前記ドア部材が開状態のときには、前記ドア部材のドア部が前記筐体の外表面から突出するように配置されている、ディスク装置付き表示装置。
【請求項２】
ディスクトレイの突出および収納の際に開閉するとともに、ドア部と、前記ドア部を回動させるためのアーム部とを含むドア部材と、
前記ドア部材が配置され、前記ディスクトレイを突出および収納させるための開口部と、装置本体を操作するための複数の操作部とを含む筐体とを備え、
前記筐体の複数の操作部は、前記アーム部と高さ位置が重なるように配置されるとともに、前記開口部の下方および側方の前記アーム部が配置される領域以外の領域に前記アーム部を挟むように配置されている、ディスク装置付き表示装置。
【請求項３】
前記筐体の開口部の下方の内表面に一体的に形成され、前記ドア部材のアーム部が回動可能に取り付けられるアーム取付部をさらに備え、
前記筐体の複数の操作部は、前記アーム部および前記アーム取付部と高さ位置が重なるように配置されるとともに、前記開口部の下方および側方の前記アーム部および前記アーム取付部が配置される領域以外の領域に前記アーム部および前記アーム取付部を挟むように配置されている、請求項２に記載のディスク装置付き表示装置。
【請求項４】
前記アーム部は、前記ドア部の一方端部および他方端部にそれぞれ設けられた第１アーム部および第２アーム部を含み、
前記操作部は、前記開口部の下方に配置された第１操作ボタンと、前記第１アーム部の外側方に配置された第２操作ボタンと、前記第２アーム部の外側方に配置された第３操作ボタンとを含む、請求項２または３に記載のディスク装置付き表示装置。
【請求項５】
前記ドア部材が開状態のときには、前記ドア部材のドア部が前記筐体の外表面から突出するように配置されている、請求項２〜４のいずれか１項に記載のディスク装置付き表示装置。
【請求項６】
前記筐体の操作部は、前記筐体と一体的に形成されている、請求項２〜５のいずれか１項に記載のディスク装置付き表示装置。
【請求項７】
前記筐体の操作部は、前記筐体の外表面に露出した状態で形成されている、請求項２〜６のいずれか１項に記載のディスク装置付き表示装置。
【発明の詳細な説明】
【技術分野】
【０００１】
本発明は、ディスク装置付き表示装置に関し、特に、装置本体を操作するための操作部を備えたディスク装置付き表示装置に関する。
【背景技術】
【０００２】
従来、装置本体を操作するための操作部を備えたディスク装置などの映像再生装置付きの表示装置が知られている（たとえば、特許文献１〜３参照）。上記特許文献１には、ＤＶＤ（デジタル多用途ディスク）装置の記録媒体を装置本体の内部に収納するための搬出部（開口部）の下方の外表面に操作部が配置されたＤＶＤ装置を内蔵したテレビジョン受像機が開示されている。このＤＶＤ装置を内蔵したテレビジョン受像機では、明記はされていないが、搬出部に外表面側に突出するように開く外開きのドア部材が配置されていると考えられる。このようなＤＶＤ装置を内蔵したテレビジョン受像機の外開きのドア部材は、搬出部の下方の内表面側に回動軸が設けられたアーム部を有するとともに、そのアーム部は、搬出部の下方の内表面側に配置されているのが一般的である。
【０００３】
また、上記特許文献２には、ビデオテープレコーダの記録媒体を装置本体の内部に収納するためのカセット挿入口（開口部）の下方の外表面に露出されない状態で操作ボタン（操作部）が配置されたビデオテープレコーダを内蔵したテレビが開示されている。このビデオテープレコーダを内蔵したテレビでは、明記はされていないが、カセット挿入口に内表面側に突出するように開く内開きのドア部材が配置されていると考えられる。このようなビデオテープレコーダを内蔵したテレビの内開きのドア部材は、カセット挿入口の上方の内表面側に回動軸が設けられた一対の突出部を有するとともに、その突出部は、カセット挿入口の上方の内表面側で回動可能に支持されているのが一般的である。
【０００４】
また、上記特許文献３には、ＣＤドライブのディスクトレイが突出および収納される開口部の下方に操作部が配置されたモニターテレビ一体型コンピュータ装置が開示されている。
【０００５】
【特許文献１】特開２００５−２７８０６３号公報
【特許文献２】実用新案登録第３００３５６８号公報
【特許文献３】特開平９−６８９３２号公報
【発明の開示】
【発明が解決しようとする課題】
【０００６】
しかしながら、上記特許文献１に開示されたＤＶＤ装置を内蔵したテレビジョン受像機において、搬出部の下方の内表面側にドア部材のアーム部が配置される場合には、アーム部の下方に操作部が配置されていると考えられるので、アーム部と操作部とが高さ方向に隣接して配置される分、ＤＶＤ装置を内蔵したテレビジョン受像機の高さを小さくするのが困難であるという問題点があると考えられる。
【０００７】
また、上記特許文献２に開示されたビデオテープレコーダを内蔵したテレビにおいて、カセット挿入口の上方の内表面側に内開きのドア部材を設ける場合には、上記特許文献１に開示されたＤＶＤ装置を内蔵したテレビジョン受像機において外開きのドア部材を設ける場合と異なり、内開きのドア部材には、回動軸が設けられたアーム部が設けられるのではなく、回動軸が設けられた一対の突出部が設けられて、その一対の突出部が筐体に回動可能に支持されると考えられるので、ビデオテープレコーダを内蔵したテレビの内開きのドア部材はアーム部を有していないと考えられる。したがって、ドア部材のアーム部に起因してＤＶＤ装置を内蔵したテレビジョン受像機の高さを小さくするのが困難であるという本発明の課題（問題点）が存在しない。
【０００８】
また、上記特許文献３に開示されたモニターテレビ一体型コンピュータ装置では、上記特許文献１に開示されたＤＶＤ装置を内蔵したテレビジョン受像機と異なり、ドア部材を有していないと考えられるので、ドア部材のアーム部に起因してＤＶＤ装置を内蔵したテレビジョン受像機の高さを小さくするのが困難であるという本発明の課題（問題点）が存在しない。
【０００９】
この発明は、上記のような課題を解決するためになされたものであり、この発明の１つの目的は、アーム部を有するドア部材を備えたディスク装置付き表示装置の高さを小さくすることが可能なディスク装置付き表示装置を提供することである。
【課題を解決するための手段および発明の効果】
【００１０】
この発明の第１の局面におけるディスク装置付き表示装置は、ディスクトレイの突出および収納の際に開閉するとともに、ドア部およびドア部を回動させるためのアーム部を含むドア部材と、ドア部材が配置され、ディスクトレイを突出および収納させるための開口部、および、装置本体を操作するための複数の操作部を含む筐体とを備えたディスク装置付き表示装置において、筐体の開口部の下方の内表面に一体的に形成され、ドア部材のアーム部が回動可能に取り付けられるアーム取付部をさらに備え、アーム部は、ドア部の一方端部および他方端部にそれぞれ設けられた第１アーム部および第２アーム部を含み、操作部は、筐体の外表面に露出した状態で筐体と一体的に形成され、開口部の下方に配置された第１操作ボタンと、第１アーム部の外側方に配置された第２操作ボタンと、第２アーム部の外側方に配置された第３操作ボタンとを含み、筐体の第１操作ボタン、第２操作ボタンおよび第３操作ボタンを含む操作部は、第１アーム部および第２アーム部を含むアーム部およびアーム取付部と高さ位置が重なるように配置されるとともに、アーム部およびアーム取付部が配置される領域以外の領域にアーム部およびアーム取付部を挟むように配置されており、ドア部材が開状態のときには、ドア部材のドア部が筐体の外表面から突出するように配置されている。
【００１１】
この第１の局面によるディスク装置付き表示装置では、上記のように、筐体の操作部を、アーム部と高さ位置が重なるように配置することによって、アーム部を筐体の操作部の上方に配置する場合に比べて、アーム部を筐体の底面により近い部分に配置することができるので、その分、ディスク装置付き表示装置の高さを小さくすることができる。また、筐体の操作部を、開口部の下方および側方のアーム部が配置される領域以外の領域にアーム部を挟むように配置することによって、筐体の操作部をアーム部と高さ位置が重なるように配置する場合にも、操作部がアーム部に干渉するのを抑制することができる。また、開口部の下方のみならず開口部の側方にも操作部を配置することによって、アーム部が配置されている領域以外の限られた領域に操作部を配置する場合にも、筐体に配置可能な操作部の数が減少するのを抑制することができる。また、ドア部材のアーム部が回動可能に取り付けられるアーム取付部を開口部の下方の内表面に設けるとともに、筐体の操作部を、開口部の下方および側方のアーム部およびアーム取付部が配置される領域以外の領域にアーム部およびアーム取付部を挟むように配置することによって、筐体の操作部をアーム部およびアーム取付部と高さ位置が重なるように配置する場合にも、操作部がアーム部およびアーム取付部に干渉するのを抑制することができる。
【００１２】
また、第１の局面では、アーム部を、ドア部の一方端部および他方端部にそれぞれ設けられた第１アーム部および第２アーム部を含み、操作部を、開口部の下方に配置された第１操作ボタンと、第１アーム部の外側方に配置された第２操作ボタンと、第２アーム部の外側方に配置された第３操作ボタンとを含むように構成することによって、第１アーム部および第２アーム部が配置される領域以外の限られた領域に操作ボタンを配置する場合にも、開口部の下方に第１操作ボタンが配置されることに加えて、開口部の側方に第２操作ボタンおよび第３操作ボタンが配置されるので、筐体に配置可能な操作ボタンの数が減少するのを容易に抑制することができる。また、ドア部材が開状態のときには、ドア部を筐体の外表面から突出するように配置することによって、ドア部材が開状態のときにドア部が筐体の内表面側に突出するように配置される場合と異なり、筐体の内部にドア部が配置される領域を確保する必要がないので、その分、ディスク装置をドア部材により近い位置に配置することができる。これにより、ディスク装置付き表示装置の小型化を図ることができる。また、筐体の操作部を、筐体と一体的に形成することによって、操作部を別部材で形成する場合と異なり、部品点数が増加するのを抑制することができる。また、筐体の操作部を、筐体の外表面に露出した状態で形成することによって、操作部を覆う蓋部材を設けるとともに、蓋部材を閉じた状態で蓋部材の表面が筐体の前面と面一になるように操作部を筐体の前面から内部側に形成する場合と異なり、操作部を筐体の前面から内部側に形成する必要がないので、その分、配線基板を筐体の前面により近い位置に配置することができる。これにより、ディスク装置付き表示装置の小型化を図ることができる。
【００１３】
この発明の第２の局面によるディスク装置付き表示装置は、ディスクトレイの突出および収納の際に開閉するとともに、ドア部と、ドア部を回動させるためのアーム部とを含むドア部材と、ドア部材が配置され、ディスクトレイを突出および収納させるための開口部と、装置本体を操作するための複数の操作部とを含む筐体とを備え、筐体の複数の操作部は、アーム部と高さ位置が重なるように配置されるとともに、開口部の下方および側方のアーム部が配置される領域以外の領域にアーム部を挟むように配置されている。
【００１４】
この第２の局面によるディスク装置付き表示装置では、上記のように、筐体の操作部を、アーム部と高さ位置が重なるように配置することによって、アーム部を筐体の操作部の上方に配置する場合に比べて、アーム部を筐体の底面により近い部分に配置することができるので、その分、ディスク装置付き表示装置の高さを小さくすることができる。また、筐体の操作部を、開口部の下方および側方のアーム部が配置される領域以外の領域にアーム部を挟むように配置することによって、筐体の操作部をアーム部と高さ位置が重なるように配置する場合にも、操作部がアーム部に干渉するのを抑制することができる。また、開口部の下方のみならず開口部の側方にも操作部を配置することによって、アーム部が配置されている領域以外の限られた領域に操作部を配置する場合にも、筐体に配置可能な操作部の数が減少するのを抑制することができる。
【００１５】
上記第２の局面によるディスク装置付き表示装置において、好ましくは、筐体の開口部の下方の内表面に一体的に形成され、ドア部材のアーム部が回動可能に取り付けられるアーム取付部をさらに備え、筐体の複数の操作部は、アーム部およびアーム取付部と高さ位置が重なるように配置されるとともに、開口部の下方および側方のアーム部およびアーム取付部が配置される領域以外の領域にアーム部およびアーム取付部を挟むように配置されている。このように構成すれば、筐体の操作部をアーム部およびアーム取付部と高さ位置が重なるように配置する場合にも、操作部がアーム部およびアーム取付部に干渉するのを抑制することができる。
【００１６】
上記第２の局面によるディスク装置付き表示装置において、好ましくは、アーム部は、ドア部の一方端部および他方端部にそれぞれ設けられた第１アーム部および第２アーム部を含み、操作部は、開口部の下方に配置された第１操作ボタンと、第１アーム部の外側方に配置された第２操作ボタンと、第２アーム部の外側方に配置された第３操作ボタンとを含む。このように構成すれば、第１アーム部および第２アーム部が配置される領域以外の限られた領域に操作ボタンを配置する場合にも、開口部の下方に第１操作ボタンが配置されることに加えて、開口部の側方に第２操作ボタンおよび第３操作ボタンが配置されるので、筐体に配置可能な操作ボタンの数が減少するのを容易に抑制することができる。
【００１７】
上記第２の局面によるディスク装置付き表示装置において、好ましくは、ドア部材が開状態のときには、ドア部材のドア部が筐体の外表面から突出するように配置されている。このように構成すれば、ドア部材が開状態のときにドア部が筐体の内表面側に突出するように配置される場合と異なり、筐体の内部にドア部が配置される領域を確保する必要がないので、その分、ディスク装置をドア部材により近い位置に配置することができる。これにより、ディスク装置付き表示装置の小型化を図ることができる。
【００１８】
上記第２の局面によるディスク装置付き表示装置において、好ましくは、筐体の操作部は、筐体と一体的に形成されている。このように構成すれば、操作部を別部材で形成する場合と異なり、部品点数が増加するのを抑制することができる。
【００１９】
上記第２の局面によるディスク装置付き表示装置において、好ましくは、筐体の操作部は、筐体の外表面に露出した状態で形成されている。このように構成すれば、操作部を覆う蓋部材を設けるとともに、蓋部材を閉じた状態で蓋部材の表面が筐体の前面と面一になるように操作部を筐体の前面から内部側に形成する場合と異なり、操作部を筐体の前面から内部側に形成する必要がないので、その分、配線基板を筐体の前面により近い位置に配置することができる。これにより、ディスク装置付き表示装置の小型化を図ることができる。
【発明を実施するための最良の形態】
【００２０】
以下、本発明を具体化した実施形態を図面に基づいて説明する。
【００２１】
図１は、本発明の一実施形態によるＤＶＤ一体型テレビジョンの全体構成を示した斜視図である。図２は、図１に示した一実施形態によるＤＶＤ一体型テレビジョンの分解斜視図である。図３〜図５は、図１に示した一実施形態によるＤＶＤ一体型テレビジョンの構造の詳細を説明するための図である。図１〜図５を参照して、本発明の一実施形態によるＤＶＤ一体型テレビジョン１の構造について説明する。なお、本実施形態では、ディスク装置付き表示装置の一例であるＤＶＤ一体型テレビジョン１に本発明を適用した場合について説明する。
【００２２】
本発明の一実施形態によるＤＶＤ一体型テレビジョン１は、図１および図２に示すように、ＤＶＤ一体型テレビジョン１の外枠を構成するフロントキャビネット２およびリアキャビネット３と、フロントキャビネット２に取り付けられたＣＲＴ（ＣＡＴＨＯＤＥ  ＲＡＹ  ＴＵＢＥ：陰極線管）４と、樹脂製のホルダ５（図５参照）と、テレビジョンを制御するためのメイン配線基板６と、図示しないＤＶＤ（デジタル多用途ディスク）を駆動させるためのＤＶＤ駆動装置７と、金属製のカバー部材８と、中継基板９と、ＤＶＤ駆動装置７を制御するためのＤＶＤ用配線基板１０と、ＣＲＴ４を制御するためのＣＲＴ用配線基板１１と、フロントキャビネット２に開閉可能に取り付けられたドア部材１２と、シート部材１３とを備えている。なお、フロントキャビネット２は、本発明の「筐体」の一例である。
【００２３】
ここで、本実施形態では、フロントキャビネット２は、図１、図３および図４に示すように、ＣＲＴ４の表示領域４ａが露出される表示窓２ａと、底面２ｂと、底面２ｂに形成された一対のレール部２ｃと、装置本体を操作するための操作ボタン２ｄ、２ｅおよび２ｆと、後述するＤＶＤ駆動装置７のディスクトレイ７ａをフロントキャビネット２の外部へ突出させるための開口部２ｇと、後述するメイン配線基板６の受光センサ６５を配置するための開口部２ｈと、メイン配線基板６の端子接続部６３が配置される３つの端子差込孔２ｉと、メイン配線基板６を保持するための複数の保持用リブ部２ｊと、ドア部材１２を回動可能に支持するアーム取付部２ｋおよび２ｌとを含んでいる。なお、操作ボタン２ｄ、２ｅおよび２ｆは、それぞれ、「第１操作ボタン」、「第２操作ボタン」および「第３操作ボタン」の一例である。
【００２４】
また、本実施形態では、フロントキャビネット２の操作ボタン２ｄ、２ｅおよび２ｆは、図３および図４に示すように、各操作ボタン２ｄ、２ｅおよび２ｆの周りにＵ字形状の切欠部２４ｄ、２４ｅおよび２４ｆが形成されることにより、円形状のボタン部２１ｄ、２１ｅおよび２１ｆと、連結部２２ｄ、２２ｅおよび２２ｆとが形成されている。また、操作ボタン２ｄ、２ｅおよび２ｆの内部側には、それぞれ、連結部２２ｄ、２２ｅおよび２２ｆに対して実質的に垂直方向に伸びるように、同じ高さ位置に板状のセンサ押圧部２３ｄ、２３ｅおよび２４ｆが形成されている。これにより、ボタン部２１ｄ、２１ｅおよび２１ｆが押圧された際に、連結部２２ｄ、２２ｅおよび２２ｆが弾性変形することにより、センサ押圧部２３ｄ、２３ｅおよび２４ｆが下方に移動するように構成されている。また、５つの操作ボタン２ｄは、開口部２ｇの下方に形成されている。また、操作ボタン２ｅおよび２ｆは、それぞれ、後述するドア部材１２のアーム部１２ｂおよび１２ｃの外側方に形成されている。なお、操作ボタン２ｄは、たとえば、音量調節ボタンやチャンネル切替ボタンなどである。また、操作ボタン２ｅは、たとえば、ドア部材１２を開閉してＤＶＤを出し入れするためのオープン・クローズボタンであり、操作ボタン２ｆは、たとえば、電源ボタンである。
【００２５】
また、本実施形態では、フロントキャビネット２の開口部２ｇは、図３および図４に示すように、表示窓２ａの下方に形成されている。また、開口部２ｇには、ドア部材１２が開閉可能に配置されている。また、フロントキャビネット２の開口部２ｈは、開口部２ｇの下方で、かつ、操作ボタン２ｄと実質的に同じ高さ位置に形成されている。また、フロントキャビネット２の３つの端子差込孔２ｉは、操作ボタン２ｅの外側方で、かつ、操作ボタン２ｄと実質的に同じ高さ位置に形成されている。また、フロントキャビネット２の複数の保持用リブ部２ｊは、操作ボタン２ｄ、２ｅおよび２ｆ近傍に複数設けられている。また、フロントキャビネット２のアーム取付部２ｋおよび２ｌは、開口部２ｇの下方の内部側に形成されている。これより、アーム取付部２ｋおよび２ｌに取り付けられるドア部材１２の回動軸（アーム部１２ｂの軸部１２ｄおよびアーム部１２ｃの軸部１２ｅ）が開口部２ｇの下方に位置するように構成されている。
【００２６】
また、リアキャビネット３には、図２に示すように、底面３ａと、底面３ａに形成された一対のレール部３ｂと、メイン配線基板６を保持するための保持用リブ部３ｃとが設けられている。また、リアキャビネット３は、フロントキャビネット２に対して図示しないねじを締め付けることにより、フロントキャビネット２に取り付けられる。
【００２７】
また、ＣＲＴ４は、図１および図２に示すように、表示領域４ａがフロントキャビネット２の表示窓２ａから露出した状態でフロントキャビネット２に取り付けられている。このＣＲＴ４は、表示領域４ａと、電子ビームを発射させる電子銃４ｂと、真空領域を形成するガラス管４ｃと、ガラス管４ｃに巻き付けられる鉄製の防爆バンド４ｄとを含んでいる。また、ＣＲＴ４の防爆バンド４ｄは、帯状に形成されるとともに、ガラス管４ｃに所定の位置で巻き付けらることにより、真空状態のガラス管４ｃが破壊により爆発的に収縮するのを防止する機能を有する。また、ガラス管４ｃに実質的に長方形に巻き付けられた防爆バンド４ｄの４つの角部には、それぞれ、ＣＲＴ４をフロントキャビネット２に取り付けるためのねじ挿入孔４ｅが形成されたねじ取付部４ｆが形成されている。そして、ねじ取付部４ｆのねじ挿入孔４ｅを介してフロントキャビネット２のねじ取付孔（図示せず）にねじ５１が取り付けられることにより、ＣＲＴ４がフロントキャビネット２に取り付けられている。
【００２８】
また、樹脂製のホルダ５（図５参照）は、フロントキャビネット２の一対のレール部２ｃおよびリアキャビネット３の一対のレール部３ｂと係合する４つのレール係合部（図示せず）を含んでいる。これにより、フロントキャビネット２とリアキャビネット３とが組み立てられた際に、ホルダ５のレール係合部（図示せず）がフロントキャビネット２のレール部２ｃおよびリアキャビネット３のレール部３ｂと係合することにより、ホルダ５がフロントキャビネット２およびリアキャビネット３に取り付けられるように構成されている。
【００２９】
また、テレビジョンを制御するためのメイン配線基板６は、図２に示すように、ねじ（図示せず）によりホルダ５に取り付けられている。このメイン配線基板６には、アンテナ線を差し込むアンテナ差込部６１と、ＣＲＴ４に高電圧を供給するフライバックトランス（Ｆｌｙ  Ｂａｃｋ  Ｔｒａｎｓｆｏｒｍｅｒ）６２と、他の機器との接続の際に使用する３つの端子接続部６３と、操作ボタン２ｄ、２ｅおよび２ｆが押圧されたことを検出するための７つの検出センサ６４と、リモコンなどの機器から送信された信号を受信する受光センサ６５とが取り付けられている。また、メイン配線基板６は、ホルダ５がフロントキャビネット２およびリアキャビネット３に取り付けられた際に、フロントキャビネット２の保持用リブ部２ｊおよびリアキャビネット３の保持用リブ部３ｃに保持されている。また、３つの端子接続部６３は、ホルダ５がフロントキャビネット２およびリアキャビネット３に取り付けられた際に、それぞれ、フロントキャビネット２の端子差込孔２ｉを介して外部に露出されている。また、７つの検出センサ６４は、ホルダ５がフロントキャビネット２およびリアキャビネット３に取り付けられた際に、それぞれ、各操作ボタン２ｄ、２ｅおよび２ｆのセンサ押圧部２３ｄ、２３ｅおよび２４ｆの下方に位置するように配置されている。これにより、ボタン部２１ｄ、２１ｅおよび２１ｆが押圧されてセンサ押圧部２３ｄ、２３ｅおよび２４ｆが下方に移動した場合に、センサ押圧部２３ｄ、２３ｅおよび２４ｆが検出センサ６４を押圧するので、検出センサ６４により操作ボタン２ｄ、２ｅおよび２ｆが押圧されているか否かを検出することが可能である。また、受光センサ６５は、ホルダ５がフロントキャビネット２およびリアキャビネット３に取り付けられた際に、フロントキャビネット２の開口部２ｈを介して外部に露出されている。
【００３０】
また、ＤＶＤ駆動装置７は、図２に示すように、ディスクトレイ７ａと、ディスクトレイ７ａが前後方向にスライド可能に取り付けられたＤＶＤ駆動装置本体部７ｂとを含んでいる。また、ディスクトレイ７ａは、前後方向にスライドすることにより、フロントキャビネット２の開口部２ｇを介してフロントキャビネット２の外部に突出するとともに、フロントキャビネット２の内部に収納されるので、ディスクトレイ７ａに載置された図示しないＤＶＤを搬送する機能を有する。また、ＤＶＤ駆動装置本体部７ｂは、ねじ５２によりメイン配線基板６を介してホルダ５に取り付けられている。
【００３１】
また、カバー部材８は、図２に示すように、ねじ５３によりＤＶＤ駆動装置７に取り付けられている。また、中継基板９は、メイン配線基板６と電気的に接続されるとともに、メイン配線基板６に対して垂直方向に取り付けられている。また、ＤＶＤ駆動装置７を制御するためのＤＶＤ用配線基板１０は、ねじ５４によりカバー部材８に取り付けられている。また、ＤＶＤ用配線基板１０は、中継基板９と電気的に接続されるとともに、中継基板９を支持する機能を有している。また、ＣＲＴ４を制御するためのＣＲＴ用配線基板１１には、ＣＲＴ４に接続される取付部１１ａが取り付けられる。また、ＣＲＴ用配線基板１１は、ケーブル６２ａによりメイン配線基板６に取り付けられたフライバックトランス６２と接続されている。
【００３２】
また、本実施形態では、フロントキャビネット２に開閉可能に取り付けられたドア部材１２は、図４および図５に示すように、ディスクトレイ７ａの突出および収納に連動して開閉する機能を有している。このドア部材１２は、ドア部１２ａと、ドア部１２ａの両端部に設けられたアーム部１２ｂおよび１２ｃとを含んでいる。また、アーム部１２ｂおよび１２ｃは、一方端部がドア部１２ａに連結されるとともに、他方端部に位置する軸部１２ｄおよび１２ｅがフロントキャビネット２のアーム取付部２ｋおよび２ｌに回動可能に取り付けられている。このとき、アーム部１２ｂおよび１２ｃは、操作ボタン２ｄ、２ｅおよび２ｆと高さ位置が重なるように配置されているとともに、操作ボタン２ｄ、２ｅおよび２ｆは、アーム部１２ｂおよび１２ｃと、アーム取付部２ｋおよび２ｌとが配置される領域以外の領域に、アーム部１２ｂおよび１２ｃと、アーム取付部２ｋおよび２ｌとを挟み込むように配置されている。また、ドア部材１２が開状態のときには、ドア部材１２のドア部１２ａがフロントキャビネット２の外部に配置されるように構成されている。なお、アーム部１２ｂおよび１２ｃは、それぞれ、本発明の「第１アーム部」および「第２アーム部」の一例である。
【００３３】
また、シート部材１３は、図１〜図３に示すように、ドア部材１２、３つの端子接続部６３およびボタン部２１ｄ、２１ｅおよび２１ｆを外部に露出するとともに、各操作ボタン２ｄ、２ｅおよび２ｆの周りのＵ字形状の切欠部２４ｄ、２４ｅおよび２４ｆを覆う機能を有している。
【００３４】
本実施形態では、上記のように、フロントキャビネット２の操作ボタン２ｄ、２ｅおよび２ｆを、アーム部１２ｂおよび１２ｃと高さ位置が重なるように配置することによって、アーム部を筐体の操作ボタンの上方に配置する場合に比べて、アーム部１２ｂおよび１２ｃをフロントキャビネット２の底面２ｂにより近い部分に配置することができるので、その分、ＤＶＤ一体型テレビジョン１の高さを小さくすることができる。
【００３５】
また、本実施形態では、フロントキャビネット２の操作ボタン２ｄ、２ｅおよび２ｆを、開口部２ｇの下方および側方のアーム部１２ｂおよび１２ｃが配置される領域以外の領域にアーム部１２ｂおよび１２ｃを挟むように配置することによって、フロントキャビネット２の操作ボタン２ｄ、２ｅおよび２ｆをアーム部１２ｂおよび１２ｃと高さ位置が重なるように配置する場合にも、操作ボタン２ｄ、２ｅおよび２ｆがアーム部１２ｂおよび１２ｃに干渉するのを抑制することができる。
【００３６】
また、本実施形態では、ドア部材１２のアーム部１２ｂおよび１２ｃが回動可能に取り付けられるアーム取付部２ｋおよび２ｌを開口部２ｇの下方の内表面に設けるとともに、フロントキャビネット２の操作ボタン２ｄ、２ｅおよび２ｆを、開口部２ｇの下方および側方のアーム部１２ｂおよび１２ｃと、アーム取付部２ｋおよび２ｌとが配置される領域以外の領域にアーム部１２ｂおよび１２ｃと、アーム取付部２ｋおよび２ｌとを挟むように配置することによって、フロントキャビネット２の操作ボタン２ｄ、２ｅおよび２ｆをアーム部１２ｂおよび１２ｃと、アーム取付部２ｋおよび２ｌと高さ位置が重なるように配置する場合にも、操作ボタン２ｄ、２ｅおよび２ｆがアーム部１２ｂおよび１２ｃと、アーム取付部２ｋおよび２ｌとに干渉するのを抑制することができる。
【００３７】
また、本実施形態では、ドア部材１２を、ドア部１２ａの一方端部および他方端部にそれぞれ設けられたアーム部１２ｂおよび１２ｃを含み、フロントキャビネット２を、開口部２ｇの下方に配置された操作ボタン２ｄと、アーム部１２ｂの外側方に配置された操作ボタン２ｅと、アーム部１２ｃの外側方に配置された操作ボタン２ｆとを含むように構成することによって、開口部２ｇの下方に操作ボタン２ｄが配置されることに加えて、開口部２ｇの側方に操作ボタン２ｅおよび２ｆが配置されるので、フロントキャビネット２に配置可能な操作ボタンの数が減少するのを容易に抑制することができる。
【００３８】
また、本実施形態では、ドア部材１２が開状態のときには、ドア部材１２のドア部１２ａをフロントキャビネット２の外表面から突出するように配置することによって、ドア部材が開状態のときにドア部が筐体の内表面側に突出するように配置される場合と異なり、フロントキャビネット２の内部にドア部１２ａが配置される領域を確保する必要がないので、その分、ＤＶＤ駆動装置７をドア部材１２により近い位置に配置することができる。これにより、ＤＶＤ一体型テレビジョン１の小型化を図ることができる。
【００３９】
また、本実施形態では、フロントキャビネット２の操作ボタン２ｄ、２ｅおよび２ｆを、フロントキャビネット２と一体的に形成することによって、操作ボタンを別部材で形成する場合と異なり、部品点数が増加するのを抑制することができる。
【００４０】
また、本実施形態では、フロントキャビネット２のボタン部２１ｄ、２１ｅおよび２１ｆを、フロントキャビネット２の外表面に露出した状態で配置することによって、ボタン部を覆う蓋部材を設けるとともに、蓋部材を閉じた状態で蓋部材の表面が筐体の前面と面一になるように操作部を筐体の前面から内部側に形成する場合と異なり、操作ボタン２ｄ、２ｅおよび２ｆをフロントキャビネット２の前面から内部側に形成する必要がないので、その分、メイン配線基板６をフロントキャビネット２の前面により近い位置に配置することができる。これにより、ＤＶＤ一体型テレビジョン１の小型化を図ることができる。
【００４１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４２】
たとえば、上記実施形態では、ディスク装置付き表示装置の一例としてＤＶＤ駆動装置を備えたＤＶＤ一体型テレビジョンについて説明したが、本発明はこれに限らず、他のディスク装置を備えた表示装置にも適用可能である。
【００４３】
また、上記実施形態では、操作部の一例として操作ボタン２ｄ、２ｅおよび２ｆを示したが、本発明はこれに限らず、操作ボタン以外の操作部を備えたＤＶＤ一体型テレビジョンにも適用可能である。
【００４４】
また、上記実施形態では、ドア部材１２にアーム部１２ｂおよび１２ｃを設けるとともに、フロントキャビネット２にアーム取付部２ｋおよび２ｌを設ける例を示したが、本発明はこれに限らず、ドア部材にアーム部を１つだけ設けるとともに、フロントキャビネットにアーム取付部を１つだけ設けるようにしてもよいし、ドア部材にアーム部を３つ以上設けるとともに、フロントキャビネットにアーム取付部を３つ以上設けるようにしてもよい。
【００４５】
また、上記実施形態では、開口部２ｇの下方に５つの操作ボタン２ｄと、アーム部１２ｂの外側方に１つの操作ボタン２ｅと、アーム部１２ｃの外側方に１つの操作ボタン２ｆとを設けた例を示したが、本発明はこれに限らず、開口部２ｇの下方に４つ以下、または、６つ以上の操作ボタンを設けるようにしてもよい。また、アーム部１２ｂの外側方に２つ以上の操作ボタンを設けるようにしてもよいし、アーム部１２ｃの外側方に２つ以上の操作ボタンを設けるようにしてもよい。
【図面の簡単な説明】
【００４６】
【図１】本発明の一実施形態によるＤＶＤ一体型テレビジョンの全体構成を示した斜視図である。
【図２】図１に示した一実施形態によるＤＶＤ一体型テレビジョンの分解斜視図である。
【図３】図１に示した一実施形態によるＤＶＤ一体型テレビジョンのフロントキャビネットの下端部近傍を示した拡大正面図である。
【図４】図１に示した一実施形態によるＤＶＤ一体型テレビジョンのフロントキャビネットの下端部近傍を内部側から示した図である。
【図５】図１に示した一実施形態によるＤＶＤ一体型テレビジョンの側断面図である。
【符号の説明】
【００４７】
１  ＤＶＤ一体型テレビジョン（ディスク装置付き表示装置）
２  フロントキャビネット（筐体）
２ｄ  操作ボタン（第１操作ボタン、操作部）
２ｅ  操作ボタン（第２操作ボタン、操作部）
２ｆ  操作ボタン（第３操作ボタン、操作部）
２ｇ  開口部
２ｋ、２ｌ  アーム取付部
７ａ  ディスクトレイ
１２  ドア部材
１２ａ  ドア部
１２ｂ  アーム部（第１アーム部）
１２ｃ  アーム部（第２アーム部）
【図１】
2007280563.tif 000003
【図２】
2007280563.tif 000004
【図３】
2007280563.tif 000005
【図４】
2007280563.tif 000006
【図５】
2007280563.tif 000007